(57)【特許請求の範囲】
【請求項１】
複数の貫通孔からなる印刷パターンが形成されたマスクを用いて基板に対してクリームはんだの印刷を行うスクリーン印刷機において、
機内全体を覆う機体カバーは、機体上面に配置された上面開閉カバーと、機体前面に配置された前面開閉カバーとを備えるものであり、
機体前部分の骨組みを左右両側に突出させて機内側に凹んだ空間を形成することにより、前記前面開閉カバーの内側に作業者が踏み込んで作業を行う機内前部スペースが設けられたものであることを特徴とするスクリーン印刷機。
【請求項２】
前記上面開閉カバーは、水平方向の軸によって上方に跳ね上がるようにして開く開閉扉であり、
前記前面開閉カバーは、鉛直方向の軸によって手前側に開く開閉扉であり、その裏面に所定の作業機器が搭載されたものであることを特徴とする請求項１に記載するスクリーン印刷機。
【請求項３】
前記前面開閉カバーの開状態を検出する扉検出手段を備えたものであることを特徴とする請求項１又は請求項２に記載するスクリーン印刷機。
【請求項４】
複数の貫通孔からなる印刷パターンが形成されたマスクを用いて基板に対してクリームはんだの印刷を行うスクリーン印刷機において、
機内全体を覆う機体カバーは、機体上面に配置された上面開閉カバーと、機体前面に配置された前面開閉カバーとを備えるものであり、
前記前面開閉カバーの内側に作業者の侵入可能な機内前部スペースが設けられ、 
前記前面開閉カバーの裏面に取り付けられ開閉に伴い形態を変化させる変形構造であり、前記前面開閉カバーが閉じた時に前記機内前部スペースに突き出すようにして存在する安全手段を備えたものであるスクリーン印刷機。
【請求項５】
前記前面開閉カバーは、片開きの開閉扉であることを特徴とする請求項１乃至請求項４のいずれかに記載するスクリーン印刷機。
【発明の詳細な説明】
【技術分野】
【０００１】
本発明は、作業者が機体前面側から行う機体内部の作業を行い易くしたスクリーン印刷機に関する。
【背景技術】
【０００２】
スクリーン印刷機は、機体内部に印刷パターン（印刷用の貫通孔）を有するスクリーンマスクが保持され、その下に基板搬送装置によって搬送された基板に対してクリームはんだによるスクリーン印刷が行われるよう構成されている。スクリーン印刷機には、基板搬送装置の他にも、搬送された基板を保持して印刷箇所に位置決めするための基板保持装置や、スクリーンマスクを位置決めして保持するためのスクリーンマスク保持装置、更にはスクリーンマスクに対して上面からクリームはんだを塗り延ばすスキージ装置などが設けられている。
【０００３】
例えば、スクリーン印刷機の基板保持装置では、搬送された基板がバックアップ機構によってクランプ位置まで持ち上げられる。そのバックアップ機構は、基板に実装される電子部品の位置を避けるようにして複数のバックアップピンが取り付けられている。そのため、生産内容の変更時には、作業者は、機体内部にあるバックアップピンに対する段取り替えを行わなければならなくなる。また、そのほかにもクリームはんだで汚れた基板用テーブルの清掃などが行われるが、いずれの場合であっても機体前方に立った作業者は、機内奥に対して作業を行う必要があった。
【先行技術文献】
【特許文献】
【０００４】
【特許文献１】特開２０１０−１４９２９９号公報
【発明の概要】
【発明が解決しようとする課題】
【０００５】
特許文献１に記載のスクリーン印刷機は、そうした作業の困難さを考慮して機体前面部分に上下に移動する開閉可能なシャッタが構成されている。前傾姿勢になって行う作業者にとって機体奥への作業が行い易くなるようにするためである。更に、このスクリーン印刷機は、機体前面の中央部分が後方に凹み、平面視で見た場合にコの字状になっている。作業者は、その凹みに入り込んだ立ち位置で機内への作業を行うこととなる。しかし、機体前面部分の凹んだ部分は、実質的に作業者から作業位置までの距離を短くするわけではなく、そのためシャッタによる前面部の一部開放は作業性向上に対して限定的なものであった。
【０００６】
そこで、本発明は、かかる課題を解決すべく、作業性を向上させたスクリーン印刷機を提供することを目的とする。
【課題を解決するための手段】
【０００７】
本発明に係るスクリーン印刷機は、複数の貫通孔からなる印刷パターンが形成されたマスクを用いて基板に対してクリームはんだの印刷を行うものであって、機内全体を覆う機体カバーは、機体上面に配置された上面開閉カバーと、機体前面に配置された前面開閉カバーとを備えるものであり、機体前部分の骨組みを左右両側に突出させて機内側に凹んだ空間を形成することにより、前記前面開閉カバーの内側に作業者が踏み込んで作業を行う機内前部スペースが設けられたものである。
【発明の効果】
【０００８】
本発明によれば、上面開閉カバーだけではなく前面開閉カバーを開けることにより、作業者は機内前部スペースに一歩踏み込んだ立ち位置で作業を行うことができ、作業性が向上することとなる。
【図面の簡単な説明】
【０００９】
【図１】スクリーン印刷機の一実施形態を示した上面開閉カバーが開状態の斜視図である。
【図２】スクリーン印刷機の一実施形態を示した上面開閉カバーおよび前面開閉カバーが開状態の斜視図である。
【図３】スクリーン印刷機の一実施形態の内部構造を簡易的に示した側面図である。
【図４】安全アームの動作を簡易的に示した図である。
【図５】機体カバーの前面開閉カバーと退避場所に位置するクリーニング装置との関係を示した斜視図である。
【図６】溶剤供給装置を搭載した前面開閉カバーを示した斜視図である。
【図７】スクリーン印刷機の参考例を示す斜視図である。
【発明を実施するための形態】
【００１０】
次に、本発明に係るスクリーン印刷機の一実施形態について、図面を参照しながら以下に説明する。図１及び図２は、本実施形態のスクリーン印刷機を示した斜視図であり、図１は上面開閉カバーのみが開いた状態が示され、図２には上面開閉カバーと前面開閉カバーが開いた状態が示されている。また、図３は、スクリーン印刷機の内部構造を簡易的に示した側面図である。このスクリーン印刷機１は、基板に対してクリームはんだを印刷するものであり、例えば印刷状態を検査する検査機や基板に電子部品の装着を行う部品装着機などと共に回路基板生産ラインを構成するものである。
【００１１】
スクリーン印刷機１は、機体内部に水平に設置されたマスクの下に基板が搬送および保持され、印刷パターン（貫通孔）を通してマスク上面から下側の基板にクリームはんだが塗布されるものである。そのスクリーン印刷機１は、図３に示すように上方にマスクホルダ２があり、そこにはマスク枠に固定されたマスクが保持されている。そして、マスクホルダの上方側にはスキージ装置３が設置され、機体前後方向である図３の左右方向に移動可能な状態で取り付けられている。一方、マスクホルダ２の下方側には基板用テーブル５が設置されている。基板用テーブル５には、基板を機体幅方向に搬入及び搬出させる搬送装置、基板を機体前後方向にクランプするクランプ装置、そして基板をクランプ位置へと上下させるバックアップ装置などが構成されている。
【００１２】
更に、基板用テーブル５は、駆動モータ１１とボールネジ機構を介して矢印Ａ１で示す範囲において昇降可能な構成になっている。また、マスクホルダ２と基板用テーブル５の間には、マスクの汚れを下面側から拭き取って清掃するクリーニング装置６と、基板やマスクに付されたマークを撮像するためカメラユニット７が設けられている。クリーニング装置６とカメラユニット７はスライダを介して一体的に構成され、機体前後方向に配置されたガイドレールに沿って移動できるようになっている。例えば、一対のプーリに掛け渡された回転ベルトにクリーニング装置６とカメラユニット７とが連結され、駆動モータの回転制御により矢印Ａ２に示す範囲において機体前後方向の移動が可能になっている。
【００１３】
このようなスクリーン印刷機１は、全体が機体カバー８によって覆われており、幅方向の両側面に基板の搬入又は搬出のための搬送口８０１が形成されている。従って、回路基板生産ラインの上流側の搬送口８０１から搬送装置によって搬入された基板は、バックアップ装置によって持ち上げられた後クランプ装置によって保持され、その状態で更にマスク下の印刷位置へと基板用テーブル５ごと上昇する。そして、スキージ装置３によってマスクの印刷パターンを通してクリームはんだが基板に対して印刷される。その後、搬送位置に戻された基板は下流側の搬送口８０１から搬出されて次の部品実装機などへと送られる。
【００１４】
こうした基板への印刷処理が繰り返される際、クリーニング装置６およびカメラユニット７は、基板用テーブル５が図３に示すように下降した状態で矢印Ａ２に示す機体前後方向に移動することとなる。このときカメラユニット７によって基板の認識マークなどが撮像され、或いは所定のタイミングでクリーニング装置６によるマスク下面の拭き取り清掃が行われる。このクリーニング装置６およびカメラユニット７は、基板用テーブル５とマスクホルダ２との間に位置しているため、上昇する基板用テーブル５の妨げとならないようにする必要がある。そこで、クリーニング装置６およびカメラユニット７は、図３に示すように機体前部に設けられた退避場所に移動し、上昇する基板用テーブル５との干渉が回避できるようになっている。
【００１５】
スクリーン印刷機１は、柱部材や梁部材などが組まれた骨組み１２が形成され、そこに前記各装置が組み付けられるとともに、機体カバー８が全体を覆うようにして取り付けられている。そして、機体カバー８に覆われた機内前部には、前述した退避場所を確保するため、図２及び図３において破線で示す空きスペースである機内前部スペース１０が設けられている。骨組み１２の機体前部分は、左右両側が突出し、その間の中央部分において機内前部スペース１０ができるように、平面視で見た場合にコの字状に凹んだ形状になっている。そして、骨組み１２が凹んだ構造であっても、クリーニング装置６などの退避場所を確保するため、機体カバー８はスクリーン印刷機１の前面全体がほぼ同じ位置の平面になっている。つまり、前記特許文献１に記載のスクリーン印刷機のように機体カバーの前面が凹んだ形状にはなっていない。
【００１６】
ところで、スクリーン印刷機１では、作業者によって基板用テーブル５におけるバックアップ装置の段取り替えや機内のメンテナンスなどが行われる。その際、スクリーン印刷機１の前方から行う作業者の作業が行い易いように、本実施形態では機体カバー８の一部が扉タイプの開閉構造になっている。具体的には、機体の前面から上面にかけて開放するようにした上面開閉カバー１５だけではなく、機体の前面も開放するようにした前面開閉カバー１６が形成されている。すなわち、図２に示すように上面開閉カバー１５と前面開閉カバー１６が開くことにより、作業者は、機内前部スペース１０内に一歩踏み込んだ立ち位置で作業を行うことができるようになっている。
【００１７】
この点、従来のスクリーン印刷機は前面が固定面になっているため、作業者は図１に示すような前面カバーのある機体の前方に立つことになり、機内奥にある遠い位置の基板用テーブル５などに対し、大きく腰を折って前傾姿勢になったり、大きく手を伸ばして作業を行う必要があった。前記特許文献１に記載のスクリーン印刷機の場合でも、一部にシャッタは形成されているものの機体カバーの前面は固定されており、作業者の立ち位置から基板用テーブルまでの距離は近くなっていなかった。つまり、機体カバーの形状がコの字に形成されていても、クリーニング装置の退避場所が本実施形態と同様に設けられているため（特許文献１の図１参照）、凹んだ機体外側の位置から基板用テーブルまでの距離が近くなっているわけではないからである。
【００１８】
そこで、本実施形態では、機体カバー８に対して片開き扉タイプの前面開閉カバー１６を設けることにより、内部の機内前部スペース１０を作業者が作業する際に使える空間として機能させることとした。この機内前部スペース１０は、例えば幅が８００ｍｍ程度あり作業者が入るのに十分な空間になっている。その一方で、作業者が機内に入ることを可能にした構造では、安全に作業が行えるよう注意する必要がある。そこで、本実施形態のスクリーン印刷機１には安全装置が設けられている。先ず、図２に示すように、前面開口部には前面開閉カバー１６の開状態を検出する検出スイッチ２５が取り付けられ、開状態を検出して送信される検出信号によって各装置の駆動停止制御が行われるようになっている。
【００１９】
また、前面開閉カバー１６は、その裏側に安全アーム２６が取り付けられている。ここで、図４は、安全アーム２６の動作を簡易的に示した図である。特に、スクリーン印刷機１の前部を平面的に示したものであり、破線で機内前部スペース１０が示されている。そして、前面開閉カバー１６と安全アーム２６は、その前面開閉カバー１６の開いた状態が実線で示され、閉じた状態が一点鎖線で示されている。
【００２０】
この安全アーム２６は、２本の帯状プレート２６１，２６２が互いに蝶番によって連結され、更に帯状プレート２６１の端部が前面開閉カバー１６の裏面に蝶番を介して取り付けられ、もう一方の帯状プレート２６２の端部が機内の骨組み１２に対して蝶番によって取り付けられている。従って、安全アーム２６は、前面開閉カバー１６の開閉に伴って帯状プレート２６１，２６２の角度を変えた変形が可能になっている。
【００２１】
具体的には、前面開閉カバー１６が開いた場合は、図２及び図４に示すように、帯状プレート２６１，２６２の間の角度が大きく直線に近い形状になって前面開閉カバー１６に沿うように配置されることとなる。そして、安全アーム２６が機内前部スペース１０を僅かに横切る程度の位置に配置されるようになっている。一方、前面開閉カバー１６が閉じた場合には、図４の破線で示すように、帯状プレート２６１，２６２の間の角度が鋭角に折れた形状になって前面開閉カバー１６から離れ、機内前部スペース１０内に突き出すようにして配置されることとなる。
【００２２】
よって、安全アーム２６は、前面開閉カバー１６が開いた場合には、機内前部スペース１０に立って作業する作業者の邪魔にならない配置となる一方、前面開閉カバー１６が閉じる場合には、機内前部スペース１０内に居る作業者に安全アーム２６が当たるようになっている。つまり、作業者が機内前部スペース１０で作業を行っている場合は、安全アーム２６が邪魔になって前面開閉カバー１６が閉じられないようになっている。なお、この安全装置は、前面開閉カバー１６が開いた状態で機内前部スペース１０との干渉が小さくなるように配置し、閉じた場合には逆に干渉する位置に突き出して作業者に当たるようにするものであれば、安全アーム２６のような構成に限るものではない。
【００２３】
続いて、図５及び図６は、機体カバー８の前面開閉カバー１６を裏面側から示した斜視図であり、特に図５は、退避場所に位置するクリーニング装置６との関係が示され、図６は、クリーニング装置６に対して溶剤を供給する溶剤供給装置を搭載した状態が示されている。クリーニング装置６は、白抜き矢印で示すようにスクリーン印刷機１の前後方向に往復移動することにより、クリーニングペーパ２１によってマスクの汚れを下面側から拭き取るようにしたものである。具体的には、使用前のクリーニングペーパ２１が第１ローラ２３から巻き出され、拭き取りを行って使用済みとなった部分が第２ローラ２４によって巻き取られるように構成されている。そして、第１ローラ２３と第２ローラ２４は平行に回転支持されており、両者にまたがって巻かれたクリーニングペーパ２１は、その中間部分がマスク下面に押し当てられるようになっている。
【００２４】
クリーニングペーパ２１は、マスクに直接当たる拭き取り部分に対して、溶剤供給装置９よって溶剤が塗布される。溶剤供給装置９は、図６に示すように前面開閉カバー１６に組み付けられており、クリーニングペーパ２１に対する溶剤の塗布は、図５に示すように、クリーニング装置６の退避場所である前面開閉カバー１６に接近した位置で行われることとなる。その溶剤供給装置９は、図２に示すように、溶剤を入れた溶剤タンク３１が機内前部スペース１０に位置するケース３２内に入れられている。骨組み１２の柱部材に固定されているケース３２は前面が開いており、前面開閉カバー１６には対応する個所に開口部１６１が形成されているため、前面開閉カバー１６が閉じた状態でも溶剤タンク３１の取り替えが可能になっている。
【００２５】
下方に位置する溶剤タンク３１は上方に位置するノズル３３に対してフレキシブルなチューブによって接続され、溶剤タンク３１内部の溶剤はポンプによって汲み上げられてノズル３３から吐出されるようになっている。ノズル３３が設けられた溶剤供給装置９の駆動部は一枚の支持プレート３５に組み付けられ、その支持プレート３５を介して前面開閉カバー１６に取り付けられている。支持プレート３５にはガイドレール３６が水平に固定され、そのガイドレール３６には摺動可能なガイドブロック３７が嵌め合わされている。そして、ガイドブロック３７にはノズル３３を備えた走行台３４が固定されている。
【００２６】
また、支持プレート３５にはサーボモータ３８が固定され、その回転軸に固定されたプーリに回転ベルト３９が掛け渡されている。その回転ベルト３９は、さらに支持プレート３５に取り付けられた他のプーリ４１，４２やテンションローラ４３などにも掛け渡されている。走行台３４は、そうした回転ベルト３９の直線部分３９１に連結されている。よって、溶剤供給装置９は、サーボモータ３８の駆動制御により回転ベルト３９が回転することで走行台３４が引っ張られ、前面開閉カバー１６の上方を縁に沿った矢印Ａ３で示す移動が可能になっている。また、溶剤タンク３１とノズル３３を連結するチューブには電磁弁が接続されており、その開閉制御によってノズル３３から吐出される溶剤の調整が行われるようになっている。
【００２７】
以上、本実施形態のスクリーン印刷機１では、前述したように上面開閉カバー１５だけではなく前面開閉カバー１６が構成されているため、段取り替えやメンテナンスの際、作業者は、上面開閉カバー１５と前面開閉カバー１６を開けて機内前部スペース１０内に一歩踏み込んだ立ち位置で作業を行うことができる。その場合、クリーニング装置６やカメラユニット７は、機体後方（図３右側）に移動している。従って、作業者の立ち位置から作業箇所までの距離が短くなり、例えば手元が見やすくなるほか大きく腰を折った前傾姿勢にならずに作業を行うことができるなど、作業性が向上することとなる。
【００２８】
また、前面開閉カバー１６は片開き扉タイプであって、ネジ止めするような完全取り外しタイプではないため、容易に開け閉めを行うことができる。つまり、工具などを使用することなく開閉させることができ、作業者による作業性を損なうことがない。しかし、開け閉めが容易であるため開状態のままスクリーン印刷機１が駆動してしまうおそれがあるが、この点本実施形態では検出スイッチ２５の検出によって各装置の駆動停止制御が行われる。従って、前面開閉カバー１６の閉め忘れだけではなく、不意に開いてしまったような場合でもスクリーン印刷機１の駆動が停止することとなる。そして、万一機内前部スペース１０内に作業者が居る状態で前面開閉カバー１６が閉じられようとしても、安全アーム２６によって前面開閉カバー１６が閉じてしまうこともない。
【００２９】
更に、本実施形態では前面開閉カバー１６が片開き扉タイプであるため、裏面に溶剤供給装置９を取り付けても取り扱いに不都合がないものとなった。つまり、前記特許文献１のようなシャッタ式では溶剤供給装置９を取り付けは困難であり、ネジ止めする完全取り外しタイプではチューブやケーブルの切り離しが必要になるなど作業者による作業性を損なってしまう。これに対して本実施形態では、支持プレート３５に組み付けられた溶剤供給装置９の駆動部は前面開閉カバー１６の開閉に従って旋回するが、ノズル３３に接続されたチューブやサーボモータ３８に接続されたケーブルなどを切り離す必要がなく、段取り替えなどを行う作業者に余分な作業を与えなることはない。しかも前面開閉カバー１６が開いた状態で、機内前部スペース１０で溶剤供給装置９が作業を行う作業者の妨げにもならない。
【００３０】
続いて、スクリーン印刷機の他の参考例につて図７を示して説明する。図７は、スクリーン印刷機の参考例を示す斜視図である。このスクリーン印刷機１００は、図３で示す前記実施形態のスクリーン印刷機１と同様の内部構造を有し、全体が機体カバー１０８によって覆われている。機体カバー１０８には、機体の前面から上面にかけて開放するようにした上面開閉カバー１１５と、機体の前面も開放するようにした前面開閉カバー１１６が形成されている。しかし、本参考例の前面開閉カバー１１６は、前面カバー１１２の一部分だけであり、その開口部が上面開閉カバー１１５の開口部と連続するように上部に形成されている。
【００３１】
上面開閉カバー１１５と前面開閉カバー１１６は、閉じた状態では実線で示すようにスクリーン印刷機１００の外殻を構成し、開く時には、破線で示すように上面開閉カバー１１５が上側後方に回転し、前面開閉カバー１１６は下側前方に回転する構成になっている。さらに前面開閉カバー１１６は、回転軸部分にフリーストップヒンジなどが用いられているため、勢いよく開いてしまうことなく、また、任意の角度で回転を停止させて開状態の姿勢を保つことができるようになっている。        
【００３２】
よって、スクリーン印刷機１００では、上面開閉カバー１１５と前面開閉カバー１１６を全開させることにより、段取り替えやメンテナンスの際、作業者は前面開閉カバー１１６の開口部に体を入れて無理のない前傾姿勢をとることができ、機内奥の作業も可能になる。また、前面開閉カバー１１６を開けることで、出し入れするマスクの下側に余裕ができるため交換作業が行い易くなる。また、前面開閉カバー１１６を開けた開口部からクリーニング装置のクリーニングペーパの出し入れができるようにすることで、生産を停止させることなく作業を進めることが可能になる。また、前面開閉カバー１１６による開口部の面積が小さいため、開閉による機内の温度変化を最小限に抑えることができる。更に、前面開閉カバー１１６は、フリーストップヒンジによって回転軸部分が構成されているため、開く時に自重によって勢いよく全開状態になってしまうことがなく、作業者の手が挟まれたり、装置に傷がついたりすることを回避できる。また、前面開閉カバー１１６は任意の回転角度で停止可能な構成であるため、ストッパ機構を用い水平姿勢で位置決めすることにより作業台として使用することが可能になる。
【００３３】
以上、本発明の一実施形態について説明したが、本発明はこれに限定されることなく、その趣旨を逸脱しない範囲で様々な変更が可能である。
例えば、前記実施形態では、安全装置の一つとして安全アーム２６を採用したが、それに替えて作業者の存在を確認するための光センサなどを設置するようにしてもよい。
また、機内前部スペース１０は、前面開閉カバー１６を閉じることで収納空間にもなるため、安全アーム２６などの安全装置に干渉しないように、容易に取出し可能な収納部を構成するようにしてもよい。
【符号の説明】
【００３４】
１…スクリーン印刷機  ２…マスクホルダ  ３…スキージ装置  ５…基板用テーブル  ６…クリーニング装置  ７…カメラユニット  ８…機体カバー  ９…溶剤供給装置  １０…機内前部スペース  １５…上面開閉カバー  １６…前面開閉カバー  ２６…安全アーム  ３１…溶剤タンク  ３３…ノズル
【図１】
0006777406.tif 000002
【図２】
0006777406.tif 000003
【図３】
0006777406.tif 000004
【図４】
0006777406.tif 000005
【図５】
0006777406.tif 000006
【図６】
0006777406.tif 000007
【図７】
0006777406.tif 000008